(57)【要約】【課題】複数の店舗における商品の在庫数の検索、及び顧客が出向くのに便利な地点に所在する店舗における商品の在庫数の顧客への通知が可能なシステムを用いて、顧客が商品のレンタル又は購入の予約を行うことを可能とする。【解決手段】本発明の商品在庫数通知システム１０は、商品を示す商品情報１１Ｂを送信する第１端末１１、１２を具備する。前記商品は、複数の店舗に備えられている。また、本発明の商品在庫数通知システム１０は、前記商品の受取を希望する希望者の所在する範囲１１Ｄ、３１を推測し、前記推測される範囲１１Ｄ、３１と、前記商品情報１１Ｂとに基づいて前記複数の店舗のいずれかを選定し、前記選定されたいずれかの店舗である選定店舗１Ｓ、２Ｓ、３Ｓ、４Ｓにおける前記商品の在庫数３２を前記第１端末１１、１２に通知する第２端末１４とを具備する。【選択図】　図１
2004062442.tif 000002
【特許請求の範囲】
【請求項１】
商品を示す商品情報を送信する第１端末と、前記商品は、複数の店舗に備えられ、
前記商品の受取を希望する希望者の所在する範囲と前記商品情報とに基づいて前記複数の店舗のいずれかを選定し、前記選定されたいずれかの店舗である選定店舗における前記商品の在庫数を前記第１端末に通知する第２端末と
を具備する商品在庫数通知システム。
【請求項２】
第３端末を更に具備し、
前記第１端末は、前記通知される在庫数に基づいて、前記受取の予約を前記第３端末に要求する
請求項１に記載の商品在庫数通知システム。
【請求項３】
前記範囲は、前記希望者の通行する経路を含み、
前記第２端末は、前記希望者が居住する居住地点と、前記希望者が前記居住地点から外出して向かう外出地点とを記憶し、前記記憶される居住地点と前記記憶される外出地点とに基づいて前記経路を導出し、前記導出される経路、前記複数の店舗の所在する第１所在地点、及び前記商品情報の各々に基づいて前記選定店舗を選定する
請求項１又は２に記載の商品在庫数通知システム。
【請求項４】
前記範囲は、前記希望者の所在する第２所在地点を含み、
前記第１端末は、前記希望者に携帯される携帯端末であり、前記携帯端末は、前記第２所在地点を導出し、
前記第２端末は、前記導出される経路、前記第１所在地点、前記導出される第２所在地点、前記商品情報の各々に基づいて前記選定店舗を選定する
請求項３に記載の商品在庫数通知システム。
【請求項５】
前記携帯端末は、前記識別番号を前記第２端末に送信し、
前記送信される識別番号に基づいて前記希望者を認証するか否かを判定し、前記判定の結果、前記希望者を認証したときに、前記携帯端末に対して前記受取の予約を許可する許可通知を送信する
請求項４に記載の商品在庫数通知システム。
【請求項６】
商品の受取を希望する希望者の所在する範囲に基づいて、複数の店舗のいずれかを選定する店舗選定部と、
前記選定されたいずれかの店舗である選定店舗における前記商品の在庫数を端末に通知する商品在庫数通知部とを具備する商品在庫数通知端末。
【請求項７】
前記範囲は、前記希望者の通行する経路を含み、
前記希望者が居住する居住地点と、前記希望者が前記居住地点から外出して向かう外出地点とを記憶する記憶部と、
前記居住地点と前記外出地点とに基づいて前記経路を導出する経路導出部とを更に具備し、
前記店舗選定部は、前記経路導出部により導出される経路と、前記複数の店舗の所在する第１所在地点とに基づいて前記選定店舗を選定する
請求項６に記載の商品在庫数通知端末。
【請求項８】
前記端末は、前記希望者に携帯される携帯端末であり、前記携帯端末は、前記希望者の所在する第２所在地点を導出し、
前記店舗選定部は、前記導出される経路、前記第１所在地点、及び前記導出される第２所在地点の各々に基づいて前記選定店舗を選定する
請求項６又は７に記載の商品在庫数通知端末。
【請求項９】
前記携帯端末は、前記携帯端末を示す識別番号を送信し、
前記送信される識別番号に基づいて前記希望者を認証するか否かを判定し、前記判定の結果、前記希望者を認証したときに、前記受取の予約を許可する許可通知を前記携帯端末に送信する照合部を更に具備する
請求項８に記載の商品在庫数通知端末。
【請求項１０】
第１端末が、商品を示す商品情報を送信するステップと、前記商品は、複数の店舗に備えられ、
第２端末が、前記商品の受取を希望する希望者の所在する範囲を推測し、前記推測される範囲と、前記送信される商品情報とに基づいて前記複数の店舗のいずれかを選定し、前記選定されるいずれかの店舗における前記商品の在庫数を前記第１端末に通知するステップと
を具備する商品在庫数通知方法。
【請求項１１】
店舗選定部と商品在庫数通知部とを具備するコンピュータにより実行される商品在庫数通知方法において、
前記店舗選定部が、前記商品の受取を希望する希望者の所在する範囲に基づいて、複数の店舗のいずれかを選定するステップと、
前記商品在庫数通知部が、前記選定されるいずれかの店舗における前記商品の在庫数を端末に通知するステップと
を具備する商品在庫数通知プログラム。
【発明の詳細な説明】
【０００１】
【発明の属する技術分野】
本発明は、品物在庫数通知システムに関し、特に、店舗を選定し、その選定された店舗における商品の在庫数を通知するシステムに関する。
【０００２】
【従来の技術】
ビデオレンタル装置、方法、及び、その記録媒体に関する技術が、特開２０００−２６８０９９号に記載されている。
【０００３】
この従来技術によれば、ビデオレンタル装置は、インターネットに接続可能なサーバである。このビデオレンタル装置は、レンタルサービスを利用する利用者の顧客情報を記憶部に記憶させる会員登録手段、貸出情報を公開すると共に、記憶部に記憶されたレンタル商品情報の検索を実行する商品検索手段、レンタル商品の予約情報を記憶部に記憶させる商品予約手段とを備えている。また、前記ビデオレンタル装置は、会員によるレンタル商品の予約の際に、会員の住所を含む地図情報を、前記顧客情報に基づいて、該地図情報を記憶した記憶部より検索して出力する地図情報出力手段を更に備えている。
【０００４】
ビデオレンタル方法は、上記のビデオレンタル装置が備える手段に対応する手順（但し、地図情報出力手段を除く。以下同）を備えている。記録媒体は、ビデオレンタル装置におけるビデオレンタルプログラムを記録しており、上記のビデオレンタル方法をコンピュータに実行させる。
【０００５】
商品レンタル方法と商品レンタルシステムに関する技術が、特開２００１−２４３２７５号に記載されている。
【０００６】
この従来技術によれば、商品レンタルシステムは、多数のコンピュータが接続され、所定のコンピュータにより管理されたコンピュータネットワークと、前記コンピュータネットワークに接続され、他のコンピュータと通信可能な予約管理コンピュータとを備えている。また、商品レンタルシステムは、前記コンピュータネットワークに接続され、商品の貸出を予約する側に設けられた予約コンピュータとから構成される。前記予約管理コンピュータは、所定の商品の有無、及び返却予定を管理すると共に、前記コンピュータネットワーク上において、商品管理情報を、返却予定を加味して日付毎に閲覧可能としている。前記予約コンピュータから前記予約管理コンピュータに所定の商品が予約されると、前記予約管理コンピュータは、所定の情報と共に、前記予約者のコンピュータに商品引換証のデータを送信し、また、所定の情報が載せられた、その貸出される商品に添付されるラベルを印刷する。その後、前記ラベルの付加された商品は、予約者が指定した場所に配送される。商品レンタル方法は、上記の商品レンタルシステムを用いて行われる。
【０００７】
レンタルサービスシステム、及びサーバに関する技術が、特開２００１−３１９１１２号に記載されている。
【０００８】
この従来技術によれば、レンタルサービスシステムは、携帯通信端末からネットワーク上のサーバにアクセスしてレンタル商品を予約し、前記予約されたレンタル商品を各地域に点在する、当該ネットワークに接続された所望の店舗にて貸出すものである。前記携帯通信端末は、前記ネットワーク上のサーバにアクセスして、レンタル物品在庫状況の確認、レンタル物品の予約、及び貸出店舗の地域指定の各指示情報を送信する通信手段を備えている。前記サーバは、在庫管理手段、通信手段、貸出情報記憶手段、返却情報記憶手段、レンタル料金算出手段の各々を備えている。
【０００９】
前記在庫管理手段は、前記各地域に点在する店舗の住所情報とレンタル物品在庫状況を管理すると共に、前記携帯通信端末から送信されるレンタル物品の予約、及び地域指定の各指示情報に基づいて該当物品の在庫店舗を検索する。通信手段は、前記携帯通信端末から送信される各指示情報を受信すると共に、前記在庫管理手段により検索された在庫店舗情報とその住所情報とを、当該携帯通信端末に閲覧可能な形態で送信する。貸出情報記憶手段は、前記通信手段が、前記携帯通信端末の利用者が来店した店舗から、予約されたレンタル物品が貸し出された旨の情報を受信した際に、その貸出日時情報を記憶する。剣客情報記憶手段は、前記通信手段が、前記携帯通信端末の利用者が来店した店舗から、レンタル物品が返却された旨の情報を受信した際に、その返却日時情報を記憶する。レンタル料金算出手段は、前記貸出情報記憶手段に記憶された貸出日時情報、及び前記返却情報記憶手段に記憶された返却情報に基づいて、前記レンタル物品毎にレンタル料金を算出する。
【００１０】
レンタル品のレンタル方法及び記録媒体に関する技術が、特開２００１−３５１０３０号に記載されている。
【００１１】
この従来技術によれば、レンタル品のレンタル方法は、第１の工程と、第２の工程とを含んでいる。第１の工程においては、通信端末により、レンタル品の検索や予約が行われる。第２の工程においては、レンタル品提供者側端末により、前記通信端末を使用する顧客に関する情報が顧客データベースに登録される。また、第２の工程においては、前記レンタル品の検索や予約が受け付けられ、更に商品データベースを参照して、前記レンタル品の検索結果や予約結果を含む情報が提供される。記録媒体は、上記のレンタル品のレンタル方法を実行可能なプログラムが記録されている。
【００１２】
コンテンツ予約システム、及び端末装置、及び再生装置に関する技術が、特開２００２−３２６８４号に記載されている。
【００１３】
この従来技術によれば、コンテンツ予約システムにおいては、携帯電話、携帯情報端末、パーソナルコンピュータ等の端末装置から、店舗のコンピュータにアクセスして、前記店舗のパッケージメディアの在庫もしくは貸出情報を要求する要求情報を前記店舗のコンピュータに送信する。前記コンピュータは、受信した要求情報に従って、前記コンピュータが管理している前記パッケージメディアの在庫状況、もしくは貸出情報を基に、貸し出し可能な前記パッケージメディアのリストを前記端末装置が表示可能な形態で生成して、前記端末装置に送信する機能を有する。端末装置は、上記のコンテンツ予約システムにおいて用いられる。
【００１４】
また、この従来技術によれば、再生装置は、ビデオテープや光ディスク等のパッケージメディア形態で、且つ暗号化された画像データを復号して再生する。この再生装置は、前記暗号化された画像データを復号する復号鍵を有する端末装置と、有線もしくは無線で接続可能である。この再生装置は、前記端末装置より暗号化された画像データを復号する復号鍵を受信し、該復号鍵を用いて暗号化された画像データを復号して再生する機能を有する。
【００１５】
次に、本発明の品物在庫数通知システムに係る従来の技術について説明する。従来、顧客は、レンタル商品（レンタルビデオ等）のレンタルを希望する場合には、自身の所有する端末（以下、「顧客端末」と記す）を用いてインターネットに接続し、レンタルを希望する店舗（以下、「希望店舗」と記す）における、そのレンタル商品の在庫数を検索する。希望店舗には、顧客の自宅や会社・学校、及び通勤・通学経路の近辺等、顧客にとって出向くのに便利な地点に所在する店舗が選択されることが多い。検索の際には、希望するレンタル商品（以下、「レンタル希望商品」と記す）の名称（以下、「レンタル希望商品名」と記す）が顧客端末に入力される必要がある。顧客端末に入力されたレンタル希望商品名は、インターネットを介して、希望店舗に具備される端末（以下、「店舗端末」と記す）に送信される。店舗端末には、レンタル商品の名称と在庫数とを対応付けたデータベースが記憶されており、店舗端末は、このデータベースを検索することにより、在庫数を調べる。検索の結果、希望店舗において、レンタル希望商品の在庫に余りがある場合には、顧客は、顧客端末を用いてレンタル希望商品のレンタルの予約を行う。一方、検索の結果、希望店舗においてレンタル希望商品の在庫に余りが無い場合には、顧客は、希望店舗以外の他の店舗に対して同様の処理を繰り返して在庫数を検索することにより、レンタル希望商品のレンタルが可能な店舗を探すことになる。
【００１６】
上記のような形態においては、顧客は、複数の店舗に対して、レンタル希望商品の在庫数を調べる必要が生じる場合がある。また、レンタル希望商品のレンタルが可能な店舗（希望店舗、又はそれ以外であっても構わない）を発見した場合でも、顧客にとって、その店舗に出向くのが不便である場合がしばしばある。尚、上記においては、レンタル商品のレンタルを行う場合を例に挙げて説明したが、その他、顧客が店舗から商品を購入する場合においても適用が可能である。その場合には、「レンタル商品」は「販売商品」、「レンタル希望商品」は「購入希望商品」に各々読み換えられる。
【００１７】
【発明が解決しようとする課題】
本発明の目的は、複数の店舗における商品（レンタル商品、又は販売商品）の在庫数を検索することの出来るシステムを提供することにある。
【００１８】
本発明の他の目的は、顧客が出向くのに便利な地点に所在する店舗における商品の在庫数を顧客に対し、通知することの可能なシステムを提供することにある。
【００１９】
本発明の更に他の目的は、顧客が、上記の形態により取得した在庫数の情報に基づいて、商品のレンタル又は購入に対する予約を行うことの可能なシステムを提供することにある。
【００２０】
【課題を解決するための手段】
以下に、［発明の実施の形態］で使用される番号・符号を括弧付で用いて、課題を解決するための手段を説明する。これらの符号は、［特許請求の範囲］の記載と［発明の実施の形態］の記載との対応を明らかにするために付加されたものであり、［特許請求の範囲］に記載されている発明の技術的範囲の解釈に用いてはならない。
【００２１】
本発明の商品在庫数通知システム（１０）は、商品を示す商品情報（１１Ｂ）を送信する第１端末（１１、１２）を具備する。前記商品は、複数の店舗に備えられている。また、本発明の商品在庫数通知システム（１０）は、前記商品の受取を希望する希望者の所在する範囲（１１Ｄ、３１）を推測し、前記推測される範囲（１１Ｄ、３１）と、前記商品情報（１１Ｂ）とに基づいて前記複数の店舗のいずれかを選定し、前記選定されたいずれかの店舗である選定店舗（１Ｓ、２Ｓ、３Ｓ、４Ｓ）における前記商品の在庫数（３２）を前記第１端末（１１、１２）に通知する第２端末（１４）とを具備する。更に、本発明の商品在庫数通知システム（１０）は、第３端末（１３−ｉ）を具備する。前記第１端末（１１、１２）は、前記通知される在庫数（３２）に基づいて、前記受取の予約を前記第３端末（１３−ｉ）に要求する。
【００２２】
本発明の商品在庫数通知システム（１０）において、前記範囲（１１Ｄ、３１）は、前記希望者の通行する経路（３１）を含んでいる。前記第２端末（１４）は、前記希望者が居住する居住地点（２１）と、前記希望者が前記居住地点（２１）から外出して向かう外出地点（２２）とを記憶している。また、前記第２端末（１４）は、前記記憶される居住地点（２１）と前記記憶される外出地点（２２）とに基づいて前記経路（３１）を導出し、前記導出される経路（３１）と、前記複数の店舗の所在する第１所在地点（１７）とに基づいて前記選定店舗（１Ｓ、２Ｓ、３Ｓ、４Ｓ）を選定する。
【００２３】
本発明の商品在庫数通知システム（１０）において、前記範囲（１１Ｄ、３１）は、前記希望者の所在する第２所在地点（１１Ｄ）を含んでいる。前記第１端末（１１、１２）は、前記希望者に携帯される携帯端末（１１）である。前記携帯端末（１１）は、前記第２所在地点（１１Ｄ）を導出する。前記第２端末（１４）は、前記導出される経路（３１）、前記第１所在地点（１７）、前記導出される第２所在地点（１１Ｄ）、前記商品情報（１１Ｂ）の各々に基づいて前記選定店舗（１Ｓ、２Ｓ、３Ｓ、４Ｓ）を選定する。前記携帯端末（１１）は、前記携帯端末（１１）を示す識別番号（１１Ａ）を送信し、前記第２端末（１４）は、前記送信される識別番号（１１Ａ）に基づいて前記希望者を認証するか否かを判定し、前記判定の結果、前記希望者を認証したときに、前記携帯端末（１１）に対して前記受取の予約を許可する許可通知（１４Ｃ）を送信する。
【００２４】
本発明の商品在庫数通知端末（１４）は、商品の受取を希望する希望者の所在する範囲（１１Ｄ、３１）と、前記商品を示す商品情報（１１Ｂ）とに基づいて、複数の店舗のいずれかを選定する店舗選定部（１４ｉ）と、前記選定されたいずれかの店舗である選定店舗（１Ｓ、２Ｓ、３Ｓ、４Ｓ）における前記商品の在庫数（３２）を端末（１１、１２）に通知する商品在庫数通知部（１４ｊ）とを具備する。
【００２５】
本発明の商品在庫数通知端末（１４）において、前記範囲（１１Ｄ、３１）は、前記希望者の通行する経路（３１）を含んでいる。本発明の商品在庫数通知端末（１４）は、前記希望者が居住する居住地点（２１）と、前記希望者が前記居住地点（２１）から外出して向かう外出地点（２２）とを記憶する記憶部（１４ａ）と、前記居住地点（２１）と前記外出地点（２２）とに基づいて前記経路（３１）を導出する経路導出部（１４ｈａ）とを具備する。前記店舗選定部（１４ｉ）は、前記経路導出部（１４ｈａ）により導出される経路（３１）と、前記複数の店舗の所在する第１所在地点（１７）とに基づいて前記選定店舗（１Ｓ、２Ｓ、３Ｓ、４Ｓ）を選定する。
【００２６】
本発明の商品在庫数通知端末（１４）において、前記端末（１１、１２）は、前記希望者に携帯される携帯端末（１１）である。前記携帯端末（１１）は、前記希望者の所在する第２所在地点（１１Ｄ）を導出する。前記店舗選定部（１４ｉ）は、前記導出される経路（３１）、前記第１所在地点（１７）、前記導出される第２所在地点（１１Ｄ）、前記商品情報（１１Ｂ）の各々に基づいて前記選定店舗（１Ｓ、２Ｓ、３Ｓ、４Ｓ）を選定する。前記記憶部（１４ａ）は、前記携帯端末（１１）を示す識別番号（２３）を記憶している。前記携帯端末（１１）は、前記携帯端末（１１）を示す識別番号（２３）を送信する。また、本発明の商品在庫数通知端末（１４）は、前記携帯端末（１１）は、前記携帯端末（１１）を示す識別番号（１１Ａ）を送信し、前記第２端末（１４）は、前記送信される識別番号（１１Ａ）に基づいて前記希望者を認証するか否かを判定し、前記判定の結果、前記希望者を認証したときに、前記携帯端末（１１）に対して前記受取の予約を許可する許可通知（１４Ｃ）を送信する照合部（１４ｆ）を更に具備する。
【００２７】
本発明の商品在庫数通知方法（１０ａ）は、第１端末（１１、１２）と第２端末（１４）とを具備し、前記第１端末（１１、１２）が、商品を示す商品情報（１１Ｂ）を送信するステップ（Ｓ１）を具備している。前記商品は、複数の店舗に備えられる。また、本発明の商品在庫数通知方法（１０ａ）は、前記第２端末（１４）が、前記商品の受取を希望する希望者の所在する範囲（１１Ｄ、３１）を推測し、前記推測される範囲（１１Ｄ、３１）と、前記送信される商品情報（１１Ｂ）とに基づいて前記複数の店舗のいずれかを選定し、前記選定されるいずれかの店舗である選定店舗（１Ｓ、２Ｓ、３Ｓ、４Ｓ）における前記商品の在庫数（３２）を前記第１端末（１１、１２）に通知するステップ（Ｓ４）を具備する。
【００２８】
本発明の商品在庫数通知プログラム（１０Ａ）は、店舗選定部（１４ｉ）と商品在庫数通知部（１４ｊ）とを具備するコンピュータ（１４）に商品在庫数通知方法（１０ａ）を実行させる。その商品在庫数通知方法（１０ａ）は、前記店舗選定部（１４ｉ）が、前記商品の受取を希望する希望者の所在する範囲（１１Ｄ、３１）と、前記商品を示す商品情報（１１Ｂ）とに基づいて、複数の店舗のいずれかを選定するステップ（Ｓ３）と、前記商品在庫数通知部（１４ｊ）が、前記選定されたいずれかの店舗における前記商品の在庫数（３２）を端末（１１、１２）に通知するステップ（Ｓ４）とを具備する。
【００２９】
【発明の実施の形態】
以下に、添付図面を参照して、本発明の商品在庫数通知システム１０について説明する。ここで、商品とは、（１）レンタルビデオ店に備えられるレンタルビデオ等、店舗から顧客に対して貸出（レンタル）の可能なレンタル商品、又は、（２）店舗から顧客に対して販売される販売商品のいずれかを示す。本発明の実施の形態においては、（１）の場合を例に挙げて説明するが、（２）の場合でも同様である。
【００３０】
商品在庫数通知システム１０の構成を図１に示す。この商品在庫数通知システム１０は、携帯電話（又はＰＨＳ，以下同）１１とパーソナルコンピュータ１２の少なくともいずれかの端末、レンタル品提供者端末１３−ｉ（ｉ＝１，２，…，ｎ）、レンタル品提供者サーバ１４の各々の構成要素を具備している。これらの構成要素は、互いにインターネット１５で接続されている。以下の説明においては、端末として主に携帯電話１１を例に挙げて説明するが、特に断りの無い限り、パーソナルコンピュータ１２でも同様である。また、商品在庫数通知システム１０は外部記憶装置１４Ａを具備している。外部記憶装置１４Ａには、後述の商品在庫数通知方法１０ａのステップＳ２、Ｓ３、Ｓ４をレンタル品提供者サーバ１４に実行させる商品在庫数通知プログラム１０Ａの記録された記録媒体が挿入される。尚、レンタル品提供者端末１３−ｉとレンタル品提供者サーバ１４は、互いに同一の端末で構成されていても構わない。
【００３１】
図１において、暗号化電話番号１１Ａ、検索要求１１Ｂ、保有機能通知信号１１Ｃ、現在位置情報１１Ｄ、会員番号２０、パスワード２４、店舗情報要求１１Ｆ、在庫数３２の各々は、携帯電話１１（又は、パーソナルコンピュータ１２，以下同）からレンタル品提供者サーバ１４に送信される。予約要求１１Ｅは、携帯電話１１からレンタル品提供者端末１３−ｉのいずれかに送信される。保有機能通知要求信号１４Ａ、レンタル許可通知１４Ｃの各々は、レンタル品提供者サーバ１４から携帯電話１１に送信される。在庫数検索要求１４Ｂは、レンタル品提供者サーバ１４からレンタル品提供者端末１３−ｉのいずれかに送信される。在庫数３２は、レンタル品提供者端末１３−ｉのいずれかからレンタル品提供者サーバ１４に送信される。
【００３２】
携帯電話１１は、商品のレンタルを希望する顧客（希望者）に携帯される端末（パーソナルコンピュータ１２は携帯されず、顧客の自宅、勤務先・学校等に設置される固定型の端末である）であり、その顧客によって操作される。携帯電話１１（又は、パーソナルコンピュータ１２）のブロック図を図２に示す。携帯電話１１は、記憶部１１ａ、表示部１１ｂ、保有機能通知部１１ｃ、現在位置情報算出部１１ｄ、電話番号通知部１１ｅ、送受信部１１ｆの各々を有している。パーソナルコンピュータ１２は、記憶部１２ａ、表示部１２ｂ、保有機能通知部１２ｃ、送受信部１２ｆの各々を有している。但し、携帯電話１１において、現在位置情報算出部１１ｄと電話番号通知部１１ｅの各々は、必ずしも備えられる必要は無い。尚、携帯電話１１は、インターネット１５に接続する機能を有するものであれば、その他の携帯端末（ＰＤＡ等）であっても構わない。
【００３３】
記憶部１１ａ（又は記憶部１２ａ，以下同）は、図３に示される会員番号・パスワード入力画面１ＳＣ、図４に示される検索条件入力画面２ＳＣ、図５に示される予約情報入力画面３ＳＣの各々の画面を記憶している。また、記憶部１１ａは、図６に示される数字対応暗号情報データベース３０を記憶している。表示部１１ｂは、上記の画面の各々の他に、レンタル品提供者サーバ１４から受信した在庫数３２を表示する。
【００３４】
会員番号・パスワード入力画面１ＳＣは、レンタル品提供者サーバ１４から携帯電話１１への表示要求に基づいて、表示部１１ｂに表示される。会員番号・パスワード入力画面１ＳＣでは、レンタル品提供者サーバ１４において顧客に対する認証を行うのに必要な情報である、会員番号２０とパスワード２４の各々に対する入力が要求されている。入力された会員番号２０とパスワード２４の各々は、送受信部１１ｆを介してレンタル品提供者サーバ１４に送信される。但し、携帯電話１１が電話番号通知部１１ｅを具備する場合には、携帯電話番号２３（暗号化電話番号１１Ａを復号化したものであり、図８を用いて後述される）に基づいて顧客の認証が行われる。従って、この場合には、会員番号・パスワード入力画面１ＳＣは必ずしも記憶部１４ａに記憶されている必要は無い。
【００３５】
検索条件入力画面２ＳＣは、会員番号２０とパスワード２４、又は携帯電話番号２３に基づいて顧客の認証が行われたときに、レンタル品提供者サーバ１４から携帯電話１１への表示要求に基づいて、表示部１１ｂに表示される。検索条件入力画面２ＳＣでは、第１ボタン１Ｂ、第２ボタン２Ｂ、第３ボタン３Ｂ、第４ボタン４Ｂ、第５ボタン５Ｂ、第６ボタン６Ｂ、検索条件入力箇所７Ｂの各々が表示されている。また、検索条件入力画面２ＳＣにおいては、指定店舗数１６Ａと、選定順１６Ｂの各々の情報の入力が要求されている。
【００３６】
第１ボタン１Ｂが操作されると、レンタル品提供者サーバ１４が記憶しているホームページが携帯電話１１に送信され、表示部１１ｂに表示される。検索条件入力箇所７Ｂには、顧客がレンタルを希望する商品名称２５（図５において後述）、又は、「レンタル数１位のビデオテープ」のように、商品の検索のキーワードとなる単語、又は文が入力される。第６ボタン６Ｂは、顧客がレンタルを希望する商品について、他の顧客によるレンタル予約数についての情報をレンタル品提供者端末１３−ｉ、又はレンタル品提供者サーバ１４に問い合わせるときに操作される。
【００３７】
指定店舗数１６Ａには、第１選定店舗１Ｓ、第２選定店舗２Ｓ、第３選定店舗３Ｓ、第４選定店舗４Ｓの各々（以下、「第１〜４選定店舗１Ｓ〜４Ｓ」と記す。これらの詳細については後述）についてレンタル品提供者サーバ１４に対し、それぞれ何店舗を選定するように要求するかを示している。例えば、図４においては、第１選定店舗１Ｓは１店舗、第２選定店舗２Ｓは２店舗、第３選定店舗３Ｓは１店舗、第４選定店舗１Ｓは１店舗と指定されたことが示されている。選定順１６Ｂは、レンタル品提供者サーバ１４に対し、どの順で店舗を選定するように要求するかを示している。例えば、図４においては、（１）第２選定店舗２Ｓ、（２）第１選定店舗１Ｓ、（３）第３選定店舗３Ｓ、（４）第４選定店舗４Ｓの順で店舗が選定するように要求されることが示されている。
【００３８】
キーワード、指定店舗数１６Ａ、選定順１６Ｂの各々が入力され、第２ボタン２Ｂ、第３ボタン３Ｂ、第４ボタン４Ｂ、第５ボタン５Ｂのいずれかが操作されると、携帯電話１１からレンタル品提供者サーバ１４に対して検索要求１１Ｂが送信される。検索要求１１Ｂは、レンタル品提供者サーバ１４に対し、キーワードに基づいた商品の検索を行うことを要求するものであり、キーワード、指定店舗数１６Ａ、選定順１６Ｂの各々が含まれる。
【００３９】
予約情報入力画面３ＳＣは、顧客の操作に基づいて表示部１１ｂに表示されるものであり、会員番号２０と商品名称２５の各々の入力が要求されている。会員番号２０と商品名称２５が入力された後、商品のレンタルを要求するレンタル予約要求１１Ｅが顧客の操作に基づいてレンタル品提供者端末１３−ｉに送信される。数字対応暗号情報データベース３０は、数字２８と暗号２９との対応を示している。
【００４０】
保有機能通知部１１ｃは、携帯電話１１が（ａ）現在位置を検出する機能、（ｂ）電話番号２３を暗号化して通知する機能、の各々を有しているかどうかを通知する保有機能通知信号１１Ｃを、保有機能通知要求信号１４Ａに応答してレンタル品提供者サーバ１４に送信する。（ａ）の機能は、現在位置情報検出部１１ｄによって行われ、（ｂ）の機能は、電話番号通知部１１ｅによって行われる。即ち、保有機能通知信号１１Ｃには、携帯電話１１が現在位置情報算出部１１ｄ、電話番号通知部１１ｅの各々を具備しているかどうかが示される。
【００４１】
現在位置情報算出部１１ｄは、ＧＰＳ衛星から携帯電話１１に送信される電波をＧＰＳ衛星が送信した送信時刻と、送受信部１１ｆがその電波を受信した受信時刻との差に光速を掛けて、ＧＰＳ衛星と携帯電話１１との距離を算出することにより、携帯電話１１の現在位置を算出する。但し、携帯電話１１が自らの所在位置を他の形態により算出することが可能であるならば、この形態には限らない。電話番号通知部１１ｅは、携帯電話番号２３を数字対応暗号情報データベース３０に基づいて暗号化して暗号化電話番号１１Ａを生成し、生成された暗号化電話番号１１Ａをレンタル品提供者サーバ１４に送信する。
【００４２】
レンタル品提供者端末１３−ｉのブロック図を図７に示す。レンタル品提供者端末１３−ｉは、記憶部１３ａ、在庫情報検索部１３ｂ、商品予約処理部１３ｃ、送受信部１３ｄの各々を具備している。
【００４３】
記憶部１３ａは、図８に示す店舗顧客情報データベース１ＤＢを記憶している。店舗顧客情報データベース１ＤＢについては、各々のレンタル品提供者端末１３−ｉ（即ち、各店舗）において別個のものが記憶されている。レンタル品提供者端末１３−ｉは、各店舗において会員としての登録を行った顧客の会員番号２０、自宅住所２１、勤務先・学校住所２２、携帯電話番号２３、パスワード２４、予約状況３３の各々を示す情報が格納されている。勤務先・学校住所２２には、会員番号２０に対応する顧客が通勤・通学において電車を利用しているか、又はマイカーを利用しているかについても共に示されている。予約状況３３には、会員番号２０に対応する顧客が、レンタル予約を行った商品に対する商品名称２５が示されており、その顧客がいずれの商品に対してもレンタル予約を行っていない場合には、「×」と示される。
【００４４】
記憶部１３ａは、図９に示す商品在庫・予約情報データベース２ＤＢを記憶している。商品在庫・予約情報データベース２ＤＢについては、各々のレンタル品提供者端末１３−ｉにおいて、互いに異なる別個のものが記憶されている。商品在庫・予約情報データベース２ＤＢは、商品名称２５と、在庫数３２、予約者３４の各々を示す情報が格納されている。在庫数３２は、商品名称２５に対応する商品の各店舗における在庫の有無（無の場合には「０」と記される）、及び在庫がある場合にはその数を示すものである。予約者３４には、商品名称２５に対応する商品のレンタル予約を行った顧客の会員番号２０が示されており、どの顧客もその商品に対するレンタル予約を行っていない場合には、「×」と示される。
【００４５】
在庫情報検索部１３ｂは、レンタル品提供者サーバ１４から商品の在庫数３２の検索を要求する在庫数検索要求１４Ｂを商品名称２５と共に受信した場合には、その商品名称２５を基に商品在庫・予約情報データベース２ＤＢを検索する。在庫情報検索部１３ｂは、検索の結果、抽出された在庫数３２を、送受信部１３ｄを介してレンタル品提供者サーバ１４に送信する。商品予約処理部１３ｃは、携帯電話１１から、商品のレンタルの予約を要求するレンタル予約要求１１Ｅと共に、予約情報入力画面３ＳＣにおいて入力の要求される会員番号２０、商品名称２５の各々を、送受信部１３ｄを介して受信する。また、商品予約処理部１３ｃは、受信した会員番号２０、商品名称２５の各々に基づいて、店舗顧客情報データベース１ＤＢの予約状況３３に商品名称２５を格納し、商品在庫・予約情報データベース２ＤＢの予約者３４に会員番号２０を格納して在庫数３２を更新する。例えば、在庫数３２が５個であるときに１人の予約者３４が登録された場合には、在庫数３２は４個に更新される。
【００４６】
レンタル品提供者サーバ１４のブロック図を図１０に示す。レンタル品提供者サーバ１４は、記憶部１４ａ、端末機能取得部１４ｂ、端末位置情報取得部１４ｃ、電話番号取得部１４ｄ、暗号変換部１４ｅ、照合部１４ｆの各々を具備している。また、レンタル品提供者サーバ１４は、商品情報検索部１４ｇ、通勤・通学経路導出部１４ｈ、選定店舗決定部１４ｉ、在庫数抽出要求部１４ｊ、店舗情報検索部１４ｋ、送受信部１４ｌの各々を具備している。尚、「通勤・通学経路導出部１４ｈａ」は、「通勤・通学経路検索部１４ｈｂ」に置き換えることも可能であり、これらのいずれかがレンタル品提供者サーバ１４に備えられる。
【００４７】
記憶部１４ａは、数字対応暗号情報データベース３０、図１１に示す店舗情報データベース３ＤＢ、図１２に示す全店舗顧客情報データベース４ＤＢ、図１３に示す商品情報データベース５ＤＢ、図１４に示す通勤・通学経路情報データベース６ＤＢの各々を記憶している。
【００４８】
店舗情報データベース３ＤＢには、各店舗に対する店舗名称１６、店舗住所１７、店舗位置１８の各々を示す情報が対応付けて格納されている。店舗名称１６には、各々の店舗に備えられるレンタル品提供者端末１３−ｉが共に示されている。店舗位置１８は、各店舗の位置を、地図を用いて示した情報である。全店舗顧客情報データベース４ＤＢには、上述の店舗顧客情報データベース１ＤＢに格納されるものと同様の情報が、各店舗に対して対応付けて格納されている（図示されていないが、店舗名称１６が１６−３、１６−４、１６−５の各々の店舗についても同様である）。
【００４９】
商品情報データベース５ＤＢには、各店舗のうち、少なくともいずれかに備えられる商品の各々に対する商品名称２５、その商品の分類を示すジャンル情報２６の各々を示す情報が対応付けて格納されている。また、商品情報データベース５ＤＢには、一定期間内のレンタル数を示すランキング情報２７Ａ、レンタル開始日２５ＡＡの各々を示す情報が対応付けて格納されている。通勤・通学経路データベース６ＤＢには、各顧客の会員番号２０と、通勤・通学経路３１の各々を示す情報が対応付けて格納されている。但し、通勤・通学経路導出部１４ｈａによって通勤・通学経路３１が導出される場合には、通勤・通学経路データベース６ＤＢは記憶されている必要は無い。
【００５０】
端末機能取得部１４ｂは、携帯電話１１に保有機能通知要求信号１４Ａを送信することにより、携帯電話１１に対し、現在位置情報算出部１１ｄと電話番号通知部１１ｅの各々を具備しているかどうかを問い合わせる。その結果、端末機能取得部１４ｂは、保有機能通知部１１ｃから保有機能通知信号１１Ｃを、送受信部１４ｌを介して受信する。端末位置情報取得部１４ｃは、保有機能通知信号１１Ｃにおいて携帯電話１１が現在位置情報算出部１１ｄを具備することが示される場合に、携帯電話１１から現在位置情報１１Ｄを、送受信部１１ｆを介して取得する。電話番号取得部１４ｄは、保有機能通知信号１１Ｃにおいて携帯電話１１が電話番号通知部１１ｅを具備することが示される場合に、携帯電話１１から暗号化電話番号１１Ａを、送受信部１１ｆを介して取得する。暗号変換部１４ｅは、その暗号化電話番号１１Ａを、数字対応暗号情報データベース３０を参照して携帯電話番号２３に変換する。
【００５１】
照合部１４ｆは、全店舗顧客情報データベース４ＤＢに記憶される携帯電話番号２３と、暗号化電話番号１１Ａから変換されて生成した携帯電話番号２３とを照合する。照合部１４ｆは、照合される携帯電話番号２３が互いに一致するときに、送受信部１４ｌを介して、商品のレンタルを許可するレンタル許可通知１４Ｃを携帯電話１１に送信する。又は、照合部１４ｆは、全店舗顧客情報データベース４ＤＢに格納される会員番号２０、パスワード２４の各々と、送信された会員番号２０、パスワード２４の各々とを照合する。照合の結果、互いに一致する会員番号２０、パスワード２４があった場合に、照合部１４ｆは、レンタル許可通知１４Ｃを携帯電話１１に送信する。
【００５２】
商品情報検索部１４ｇは、携帯電話１１から送信された検索要求１１Ｂに基づいて商品情報データベース５ＤＢを検索し、その検索の結果に基づいて商品名称２５を抽出する。通勤・通学経路導出部１４ｈａは、会員番号２０又は携帯電話番号２３を基にして、全店舗顧客情報データベース４ＤＢから自宅住所２１と勤務先・学校住所２２とを抽出する。また、通勤・通学経路導出部１４ｈａは、抽出された自宅住所２１と勤務先・学校住所２２とに基づいて通勤・通学経路３１を導出する。通勤・通学経路検索部１４ｈｂは、会員番号２０又は携帯電話番号２３を基にして、通勤・通学経路情報データベース６ＤＢから通勤・通学経路３１を抽出する。
【００５３】
選定店舗決定部１４ｉは、商品情報検索部１４ｇによって商品名称２５が商品情報データベース５ＤＢから抽出された場合に、次の（Ａ）〜（Ｄ）の形態で店舗を選定する（以下、選定された店舗を「選定店舗」と記す）。（Ａ）携帯電話１１に現在位置情報算出部１１ｄが備えられる場合には、それによって算出された現在位置情報１１Ｄと店舗住所１７とに基づいて、携帯電話１１の現在位置からの距離が相対的に近い店舗（第１選定店舗１Ｓ）を選定する。（Ｂ）上述の形態で導出又は抽出された通勤・通学経路３１と店舗住所１７とに基づいて、通勤・通学経路３１の周辺に所在する店舗（第２選定店舗２Ｓ）を選定する。（Ｃ）自宅住所２１と店舗住所１７とに基づいて、自宅からの距離が相対的に近い店舗（第３選定店舗３Ｓ）を選定する。（Ｄ）勤務先・学校住所２１と店舗住所１７とに基づいて、勤務先・学校からの距離が相対的に近い店舗（第４選定店舗４Ｓ）を選定する。
【００５４】
携帯電話１１に現在位置情報算出部１１ｄが備えられる場合には、第１〜４選定店舗１Ｓ〜４Ｓが選定される。但し、顧客が家庭の主婦等である場合には、第４選定店舗は選定されない場合もある。一方、携帯電話１１に現在位置情報算出部１１ｄが備えられない場合には、第２選定店舗２Ｓ、第３選定店舗３Ｓ、第４選定店舗４Ｓの各々（以下、「第２〜４選定店舗２Ｓ〜４Ｓ」と記す）が選定される。第１〜４選定店舗１Ｓ〜４Ｓの数は、各々１個であるとは限らず、複数であっても構わない。例えば、第１選定店舗１Ｓが２店舗選定される場合には、携帯電話１１の現在位置から相対的に近い店舗が２店舗選定されることとなる。また、第１〜４選定店舗１Ｓ〜４Ｓ、又は第２〜４選定店舗２Ｓ〜４Ｓは、選定順１６Ｂに基づいて順次選定され、選定された店舗について順次、在庫数３２が検索され、検索の結果、抽出された在庫数３２が携帯電話１１の表示部１１ｂに表示される。
【００５５】
在庫情報抽出要求部１４ｊは、第１〜４選定店舗１Ｓ〜４Ｓ、又は第２〜４選定店舗２Ｓ〜４Ｓの各々に対し、在庫数検索要求１４Ｂと、商品情報検索部１４ｇによって抽出された商品名称２５とを送信する。また、在庫情報抽出要求部１４ｊは、レンタル品提供者端末１３−ｉから受信した在庫数３２と、そのレンタル品提供者端末１３−ｉの備えられる店舗の店舗名称１６とを、送受信部１４ｌを介して携帯電話１１に送信する。店舗情報検索部１４ｋは、携帯電話１１から店舗位置１８（又は店舗住所１７）の送信を要求する店舗情報送信要求１１Ｆを店舗名１６と共に受信した場合に、それに応答して、店舗位置１８（又は店舗住所１７）を携帯電話１１に送信する。
【００５６】
次に、図１６を参照して、本発明の商品在庫数通知システム１０の実施の形態１を用いた、商品在庫数通知方法１０ａの処理の過程について説明する。
【００５７】
携帯電話１１は、レンタル品提供者サーバ１４に対し、接続を要求する接続要求を送信する。端末機能取得部１４ｂは、携帯電話１１に保有機能通知要求信号１４Ａを送信し、その結果、保有機能通知部１１ｃから保有機能通知信号１１Ｃを受信する。端末位置情報取得部１４ｃは、保有機能通知信号１１Ｃにおいて携帯電話１１が現在位置情報算出部１１ｄを具備することが示される場合に、携帯電話１１から現在位置情報１１Ｄを取得する。電話番号取得部１４ｄは、保有機能通知信号１１Ｃにおいて携帯電話１１が電話番号通知部１１ｅを具備することが示される場合に、携帯電話１１から暗号化電話番号１１Ａを取得する。暗号変換部１４ｅは、その暗号化電話番号１１Ａを、数字対応暗号情報データベース３０を参照して携帯電話番号２３に変換する。照合部１４ｆは、全店舗顧客情報データベース４ＤＢに記憶される携帯電話番号２３と、暗号化電話番号１１Ａから変換されて生成した携帯電話番号２３とを照合する。照合部１４ｆは、照合される携帯電話番号２３が互いに一致するときに、送受信部１４ｌを介してレンタル許可通知１４Ｃを携帯電話１１に送信する（ステップＳ１）。
【００５８】
上記のステップＳ１により、顧客の認証が行われる。但し、保有機能通知信号１１Ｃにおいて携帯電話１１が電話番号通知部１１ｅを具備しないことが示された場合に、レンタル品提供者サーバ１４は携帯電話１１に対し、会員番号・パスワード入力画面１ＳＣの表示を要求する。照合部１４ｆは、会員番号・パスワード入力画面１ＳＣにおいて入力された会員番号２０、パスワード２４の各々と、全店舗顧客情報データベース４ＤＢに格納される会員番号２０、パスワード２４の各々とを照合する。照合部１４ｆは、照合される会員番号２０、パスワード２４が互いに一致するときに、送受信部１４ｌを介してレンタル許可通知１４Ｃを携帯電話１１に送信する。
【００５９】
商品情報検索部１４ｇは、携帯電話１１から送信された検索要求１１Ｂに基づいて、商品情報データベース５ＤＢを検索する（ステップＳ２）。商品情報検索部１４ｇによる検索の結果、商品名称２５が抽出された場合に、通勤・通学経路導出部１４ｈａは、会員番号２０又は携帯電話番号２３を基にして、全店舗顧客情報データベース４ＤＢから自宅住所２１と勤務先・学校住所２２とを抽出する。また、通勤・通学経路導出部１４ｈａは、抽出された自宅住所２１と勤務先・学校住所２２とに基づいて通勤・通学経路３１を導出する。又は、通勤・通学経路検索部１４ｈｂは、会員番号２０又は携帯電話番号２３を基にして、通勤・通学経路情報データベース６ＤＢから通勤・通学経路３１を抽出する。選定店舗決定部１４ｉは、上記の（Ａ）〜（Ｄ）の形態で店舗を選定する（ステップＳ３）。
【００６０】
在庫情報抽出要求部１４ｊは、第１〜４選定店舗１Ｓ〜４Ｓ、又は第２〜４選定店舗２Ｓ〜４Ｓの各々のレンタル品提供者端末１３−ｉに対し、在庫数検索要求１４Ｂと、商品情報検索部１４ｇにより抽出された商品名称２５とを送信する。在庫情報検索部１３ｂは、レンタル品提供者サーバ１４から在庫数検索要求１４Ｂを商品名称２５と共に受信すると、その商品名称２５を基に商品在庫・予約情報データベース２ＤＢを検索する。在庫情報検索部１３ｂは、検索の結果、抽出された在庫数３２を、送受信部１３ｄを介してレンタル品提供者サーバ１４に送信する。レンタル品提供者サーバ１４は、受信した在庫数３２を、送受信部１４ｌを介して携帯電話１１に送信する（ステップＳ４）。
【００６１】
顧客は、携帯電話１１を操作して予約情報入力画面３ＳＣを表示部１１ｂに表示し、会員番号２０、商品名称２５、店舗名称１６の各々を入力する。携帯電話１１は、入力された店舗名称１６の店舗が有するレンタル品提供者端末１３−ｉに対して会員番号２０、商品名称２５の各々と共にレンタル予約要求１１Ｅを送信する。商品予約処理部１３ｃは、携帯電話１１からレンタル予約要求１１Ｅと共に会員番号２０、商品名称２５の各々を、送受信部１３ｄを介して受信する。また、商品予約処理部１３ｃは、受信した会員番号２０、商品名称２５の各々に基づいて、店舗顧客情報データベース１ＤＢの予約状況３３に商品名称２５を格納し、商品在庫・予約情報データベース２ＤＢの予約者３４に会員番号２０を格納して在庫数３２を更新する（ステップＳ５）。このステップＳ５により、商品のレンタル予約が完了する。
【００６２】
【発明の効果】
本発明の商品在庫数通知システムにより、複数の店舗における商品（レンタル商品、又は販売商品）の在庫数を検索することが出来る。
【００６３】
本発明の商品在庫数通知システムにより、顧客が出向くのに便利な地点に所在する店舗における商品の在庫数を顧客に対し、通知することが可能となる。
【００６４】
本発明の商品在庫数通知システムにより、顧客が、上記の形態により取得した在庫数の情報に基づいて、商品のレンタル又は購入に対する予約を行うことが可能となる。
【図面の簡単な説明】
【図１】本発明の商品在庫数通知システムの実施の形態に係る構成を示す図である。
【図２】本発明の商品在庫数通知システムの実施の形態に係る、携帯電話又はパーソナルコンピュータの構成を示すブロック図である。
【図３】本発明の商品在庫数通知システムの実施の形態に係る、会員番号・パスワード入力画面を示す図である。
【図４】本発明の商品在庫数通知システムの実施の形態に係る、検索条件入力画面を示す図である。
【図５】本発明の商品在庫数通知システムの実施の形態に係る、予約情報入力画面を示す図である。
【図６】本発明の商品在庫数通知システムの実施の形態に係る、数字対応暗号情報データベースに格納される情報を示す図である。
【図７】本発明の商品在庫数通知システムの実施の形態に係る、レンタル品提供者端末の構成を示すブロック図である。
【図８】本発明の商品在庫数通知システムの実施の形態に係る、店舗顧客情報データベースに格納される情報を示す図である。
【図９】本発明の商品在庫数通知システムの実施の形態に係る、商品在庫・予約情報データベースに格納される情報を示す図である。
【図１０】本発明の商品在庫数通知システムの実施の形態に係る、レンタル品提供者サーバの構成を示すブロック図である。
【図１１】本発明の商品在庫数通知システムの実施の形態に係る、店舗情報データベースに格納される情報を示す図である。
【図１２】本発明の商品在庫数通知システムの実施の形態１、２に係る、全店舗顧客情報データベースに格納される情報を示す図である。
【図１３】本発明の商品在庫数通知システムの実施の形態に係る、商品情報データベースに格納される情報を示す図である。
【図１４】本発明の商品在庫数通知システムの実施の形態に係る、通勤・通学経路情報データベースに格納される情報を示す図である。
【図１５】本発明の商品在庫数通知方法の処理の過程を示す図である。
【符号の説明】
１０Ａ：商品在庫数通知プログラム
１０ａ：商品在庫数通知方法
１１：携帯電話（ＰＨＳ）
１１Ａ：暗号化電話番号
１１Ｂ：検索要求
１１Ｃ：保有機能通知信号
１１Ｄ：現在位置情報
１１Ｅ：在庫数検索要求
１１Ｆ：レンタル予約要求
１１ａ：記憶部
１１ｂ：表示部
１１ｃ：保有機能通知部
１１ｄ：現在位置情報算出部
１１ｅ：電話番号通知部
１１ｆ：送受信部
１２：パーソナルコンピュータ
１２ａ：記憶部
１２ｂ：表示部
１２ｃ：保有機能通知部
１２ｆ：送受信部
１３−ｉ（ｉ＝１，２，…，ｎ）：レンタル品提供者端末
１３ａ：記憶部
１３ｂ：在庫情報検索部
１３ｃ：商品予約処理部
１３ｄ：送受信部
１４：レンタル品提供者サーバ
１４ａ：記憶部
１４ｂ：端末機能取得部
１４ｃ：端末位置情報取得部
１４ｄ：電話番号取得部
１４ｅ：暗号変換部
１４ｆ：照合部
１４ｇ：商品情報検索部
１４ｈａ：通勤・通学経路導出部
１４ｈｂ：通勤・通学経路検索部
１４ｉ：選定店舗決定部
１４ｊ：在庫情報抽出要求部
１４ｋ：店舗情報検索部
１４ｌ：送受信部
１４Ａ：外部記憶装置
１５：インターネット
１６Ａ：指定店舗数
１６Ｂ：選定順
１６：店舗名称
１７：店舗住所
１８：店舗位置
２０：会員番号
２１：自宅住所
２２：勤務先・学校住所
２３：携帯電話番号
２４：パスワード
２５：商品名称
２５ＡＡ：レンタル開始日
２６：ジャンル情報
２７：ランキング情報
２８：数字
２９：暗号
３０：数字対応暗号情報データベース
３１：通勤・通学経路
３２：在庫数
３４：予約者
１ＳＣ：会員番号・パスワード入力画面
２ＳＣ：検索条件入力画面
３ＳＣ：予約情報入力画面
１Ｂ：第１ボタン
２Ｂ：第２ボタン
３Ｂ：第３ボタン
４Ｂ：第４ボタン
５Ｂ：第５ボタン
６Ｂ：第６ボタン
７Ｂ：キーワード入力箇所
１ＤＢ：店舗顧客情報データベース
２ＤＢ：商品在庫・予約情報データベース
３ＤＢ：店舗情報データベース
４ＤＢ：全店舗顧客情報データベース
５ＤＢ：商品情報データベース
６ＤＢ：通勤・通学経路情報データベース
【図１】
2004062442.tif 000003
【図２】
2004062442.tif 000004
【図３】
2004062442.tif 000005
【図４】
2004062442.tif 000006
【図５】
2004062442.tif 000007
【図６】
2004062442.tif 000008
【図７】
2004062442.tif 000009
【図８】
2004062442.tif 000010
【図９】
2004062442.tif 000011
【図１０】
2004062442.tif 000012
【図１１】
2004062442.tif 000013
【図１２】
2004062442.tif 000014
【図１３】
2004062442.tif 000015
【図１４】
2004062442.tif 000016
【図１５】
2004062442.tif 000017